(57)【要約】      （修正有）【課題】デジタルメディアレンダラーでコンテンツを再生する方法を提供する。【解決手段】デジタルメディアレンダラー（DMR）でコンテンツを再生する方法は、コンピュータで仮想DMRをインストールするステップ、実際のDMR装置を前記仮想DMRと関連付けするステップを含み、仮想DMRは、コンピュータのプロセッサにより実行されるソフトウェアアプリケーションである。オペレーティングシステムのチャームサイドバーにおいて実際のDMR装置に対する詳細を表示するステップを更に含み、実際のDMR装置は、前記オペレーティングシステムでインストールされるための認証を有さず、前記仮想DMRは、認証を有している。実際のDMR装置で実行されるアクションを示すユーザからのコマンドをチャームサイドバーを通して受信するステップ、ユーザから実際のDMR装置にコマンドを転送するステップを更に含む。【選択図】図６
2013106345.tif 000002
【特許請求の範囲】
【請求項１】
デジタルメディアレンダラー（DMR）でコンテンツを再生する方法であって、
当該方法は、
コンピュータで仮想DMRをインストールするステップと、前記仮想DMRは、前記コンピュータのオペレーティングシステムで実行するためにインストールされ、前記コンピュータのプロセッサにより実行されるソフトウェアアプリケーションであり、
実際のDMR装置を前記仮想DMRと関連付けするステップと、
前記オペレーティングシステムのチャームサイドバーにおいて前記実際のDMR装置に対する詳細を表示するステップと、前記実際のDMR装置は、前記オペレーティングシステムでインストールされるための認証を有さず、前記仮想DMRは、前記オペレーティングシステムでインストールされるための認証を有しており、
前記実際のDMR装置で実行されるアクションを示すユーザからのコマンドを前記チャームサイドバーを通して受信するステップと、
前記仮想DMRが、前記実際のDMR装置で前記コマンドを実行するため、前記ユーザから前記実際のDMR装置に前記コマンドを転送するステップと、
を含む方法。
【請求項２】
前記コマンドは、前記実際のDMR装置で前記コンピュータで記憶されているオリジナルのコンテンツを再生するための再生コマンド、終了コマンド、又は一時停止コマンドである、
請求項１記載の方法。
【請求項３】
前記コマンドは、前記実際のDMR装置で前記コンピュータに記憶されているオリジナルのコンテンツを再生するための再生コマンドである、
請求項１記載の方法。
【請求項４】
前記実際のDMR装置が、再生される前記オリジナルのコンテンツのフォーマットタイプをサポートするとき、前記仮想DMRは、前記実際のDMR装置で前記オリジナルのコンテンツをダイレクトに再生するため、前記現実のDMR装置に前記オリジナルコンテンツを転送する、
請求項３記載の方法。
【請求項５】
前記実際のDMR装置が、再生される前記オリジナルのコンテンツのフォーマットタイプをサポートしないとき、前記仮想DMRは、前記オリジナルのコンテンツを前記実際のDMR装置によりサポートされるフォーマットタイプにトランスコードし、トランスコードされたオリジナルのコンテンツを前記実際のDMR装置で再生するため、トランスコードされたオリジナルのコンテンツを前記実際のDMR装置に転送する、
請求項３記載の装置。
【請求項６】
前記オリジナルのコンテンツが前記実際のDMR装置によりサポートされないH.264フォーマットのタイプであるとき、前記仮想DMRは、前記オリジナルのコンテンツを前記実際のDMR装置によりサポートされるMPEG-2（Motion  Picture  Experts  Group-2）のフォーマットタイプにトランスコードし、トランスコードされたオリジナルのコンテンツを前記実際のDMR装置で再生するため、トランスコードされたオリジナルのコンテンツを前記実際のDMR装置に転送する、
請求項５記載の方法。
【請求項７】
前記仮想DMRと複数の実際のDMR装置が関連付けされ、それぞれの実際のDMR装置は、前記実際のDMR装置に対応する詳細と共に前記チャームサイドバーに個々に列挙される、
請求項１記載の方法。
【請求項８】
前記複数の実際のDMR装置は、１対１のマッピングにおいて前記仮想DMRと関連付けされ、それぞれの実際のDMR装置のアイコン及び名前が前記チャームサイドバーに示される、
請求項７記載の方法。
【請求項９】
前記オペレーティングシステムは、Microsoft  Corporationにより製造されるWindows（登録商標）  8オペレーティングシステムである、
請求項１記載の方法。
【請求項１０】
前記仮想DMRは、前記Windows（登録商標）  8オペレーティングシステムについてチャーム認証を有する、
請求項９記載の方法。
【請求項１１】
コンピュータシステムと通信するデジタルメディアレンダラー（DMR）でコンテンツを再生するコンピュータシステムであって、
当該コンピュータシステムは、
メモリと、
前記メモリに記憶される、当該コンピュータシステムのオペレーティングシステムと、
前記オペレーティングシステムで実行するためにインストールされる仮想DMRであって、実際のDMR装置と関連される仮想DMRと、
前記実際のDMR装置に対応する詳細を前記オペレーティングシステムのチャームサイドバーに表示するディスプレイと、前記実際のDMR装置は、前記オペレーティングシステムでインストールされるための認証を有さず、前記仮想DMRは、前記オペレーティングシステムでインストールされるための認証を有しており、
前記実際のDMR装置で実行されるアクションを示すユーザからのコマンドを前記チャームサイドバーを通して受信するユーザインタフェースと、
前記仮想DMRを実行し、前記実際のDMR装置で前記コマンドを実行するため、前記仮想DMRに、前記ユーザから前記実際のDMR装置に前記コマンドを転送させるステップと、
を含むコンピュータシステム。
【請求項１２】
前記コマンドは、前記実際のDMR装置で前記コンピュータで記憶されているオリジナルのコンテンツを再生するための再生コマンド、終了コマンド、又は一時停止コマンドである、
請求項１１記載のコンピュータシステム。
【請求項１３】
前記コマンドは、前記実際のDMR装置で前記コンピュータに記憶されているオリジナルのコンテンツを再生するための再生コマンドである、
請求項１１記載のコンピュータシステム。
【請求項１４】
前記実際のDMR装置が、再生される前記オリジナルのコンテンツのフォーマットタイプをサポートするとき、前記仮想DMRは、前記実際のDMR装置で前記オリジナルのコンテンツをダイレクトに再生するため、前記現実のDMR装置に前記オリジナルコンテンツを転送する、
請求項１３記載のコンピュータシステム。
【請求項１５】
前記実際のDMR装置が、再生される前記オリジナルのコンテンツのフォーマットタイプをサポートしないとき、前記仮想DMRは、前記オリジナルのコンテンツを前記実際のDMR装置によりサポートされるフォーマットタイプにトランスコードし、トランスコードされたオリジナルのコンテンツを前記実際のDMR装置で再生するため、トランスコードされたオリジナルのコンテンツを前記実際のDMR装置に転送する、
請求項１３記載のコンピュータシステム。
【請求項１６】
前記オリジナルのコンテンツが前記実際のDMR装置によりサポートされないH.264フォーマットのタイプであるとき、前記仮想DMRは、前記オリジナルのコンテンツを前記実際のDMR装置によりサポートされるMPEG-2（Motion  Picture  Experts  Group-2）のフォーマットタイプにトランスコードし、トランスコードされたオリジナルのコンテンツを前記実際のDMR装置で再生するため、トランスコードされたオリジナルのコンテンツを前記実際のDMR装置に転送する、
請求項１５記載のコンピュータシステム。
【請求項１７】
前記仮想DMRと複数の実際のDMR装置が関連付けされ、それぞれの実際のDMR装置は、前記実際のDMR装置に対応する詳細と共に前記チャームサイドバーに個々に列挙される、
請求項１１記載のコンピュータシステム。
【請求項１８】
前記複数の実際のDMR装置は、１対１のマッピングにおいて前記仮想DMRと関連付けされ、それぞれの実際のDMR装置のアイコン及び名前が前記チャームサイドバーに示される、
請求項１７記載のコンピュータシステム。
【請求項１９】
前記オペレーティングシステムは、Microsoft  Corporationにより製造されるWindows（登録商標）  8オペレーティングシステムである、
請求項１１記載のコンピュータシステム。
【請求項２０】
前記仮想DMRは、前記Windows（登録商標）  8オペレーティングシステムについてチャーム認証を有する、
請求項１９記載のコンピュータシステム。
【発明の詳細な説明】
【技術分野】
【０００１】
本発明は、デジタルメディアレンダラー（DMR）に関し、より詳細には、コンピュータでインストールされる仮想DMRを使用してDMRでコンテンツを再生する方法に関する。
【背景技術】
【０００２】
Microsoft  Corporationにより製造される、間もなく発売されるWindows（登録商標）  8オペレーティングシステムは、コンピュータユーザが、写真、オーディオ、ビデオ等をローカルエリアネットワークを通してテレビジョン（TV）又は他のネットワーク装置に都合よく送出するのを可能にする“Play  To”機能を含む。ネットワーク装置は、有線ネットワーク又は無線ネットワークの何れかを通してコンピュータと通信する。
【０００３】
このように、ユーザは、コンピュータのローカルに記憶されているコンテンツを共有することができるか、又は再生のためにTVのようなデジタルメディアレンダラー（DMR）装置にInternetに位置するコンテンツを共有することができる。コンテンツは、再生のためにDLNA（Digital  Living  Network  Alliance）プロトコルを使用して送信される。ユーザは、彼等が再生するのを望むコンテンツを選択し、次いで、Windows（登録商標）  8オペレーティングシステムのチャームサイドバーを使用し、Play  To機能を使用して選択されたDMR装置でコンテンツを再生するために、所望の再生DMR装置が選択される。DLNA仕様によれば、TVのようなDMRは、デジタルメディアサーバ（DMS）から送出されたコンテンツを再生するためにデジタルメディアコントローラ（DMS）により制御される。例として、コンピュータは、DMC及びDMSの両者としての役割を果たすが、他の装置を代わりに使用することができる。
【０００４】
チャームサイドバー（charm  sidebar）は、コンピュータに接続されるDMR装置又はコンピュータと通信するDMR装置の全てをリストアップする。チャーム（charm）は、ツールバーアプリケーションのようなアプリケーションによりアクセスすることができるオペレーティングシステムの設定を表す。
【発明の概要】
【発明が解決しようとする課題】
【０００５】
残念なことに、DMR装置がチャームサイドバーのリストに表示されるため、Windows（登録商標）  8オペレーティングシステムのデバイスの認証を有する必要がある。市場で既に販売されている幾つかの製品にとって、製品が市場で販売された後に認証を受けることは困難である。これは、Windows（登録商標）  8の認証を受けるために、DMR装置は写真、オーディオ、ビデオフォーマットをサポートする必要があり、これは多くの装置にとって非常に厳密な要件となるので特に当てはまる。MPEG-2（Motion  Picture  Experts  Group  -2）ビデオフォーマットのみをサポートし、H.264のような他のフォーマットをサポートしない大部分のTVのような幾つかのDMR装置は、係るサポートを達成するため、DMR装置のハードウェアをアップグレードすることなしにアップグレードすることができない。
【課題を解決するための手段】
【０００６】
従って、特許請求される発明の主要な目的のうちの１つは、デジタルメディアレンダラー（DMR）でコンテンツを再生する方法、及びDMRでコンテンツを再生する関連するコンピュータシステムを提供することにある。
【０００７】
特許請求される発明の例示的な実施の形態によれば、DMRでコンテンツを再生する方法が開示される。本方法は、コンピュータで、コンピュータのオペレーティングシステムで実行するためにインストールされ、コンピュータのプロセッサにより実行されるソフトウェアアプリケーションである仮想DMRをインストールするステップと、実際のDMR装置を仮想DMRと関連付けするステップを含む。本方法は、オペレーティングシステムのチャームサイドバーにおいて、実際のDMR装置に対応する詳細を表示するステップを含み、実際のDMR装置は、オペレーテイングシステムでインストールされるための認証を有しておらず、仮想DMRは、オペレーティングシステムでインストールされるための認証を有している。本発明は、さらに、実際のDMR装置で実行するアクションを示すコマンドをチャームサイドバーを通してユーザから受信するステップを含み、仮想DMRは、実際のDMR装置でコマンドを実行するため、ユーザから実際のDMR装置にコマンドを転送する。
【０００８】
特許請求される発明の別の例示的な実施の形態によれば、コンピュータシステムと通信するDMRでコンテンツを再生するコンピュータシステムは、メモリ、メモリに記憶されているコンピュータのオペレーティングシステム、及び、オペレーティングシステムで実行するためにインストールされるソフトウェアアプリケーションである仮想DMR、仮想DMRと関連する実際のDMR装置を含む。また、コンピュータシステムは、オペレーティングシステムのチャームサイドバーにおいて、実際のDMR装置に対応する詳細を表示するディスプレイを含み、実際のDMR装置は、オペレーティングシステムインストールされるための認証を有しておらず、仮想DMRは、オペレーティングシステムでインストールされるための認証を有している。コンピュータシステムは、さらに、実際のDMR装置で実行すべきアクションを示すコマンドをチャームサイドバーを通してユーザから受信するユーザインタフェース、仮想DMRを実行し、実際のDMRでコマンドを実行するため、仮想DMRにユーザから実際のDMR装置にコマンドを転送させるプロセッサを含む。
【０００９】
本発明は、仮想DMRを利用して、さもなければWindows（登録商標）  8オペレーティングシステムを実行するコンピュータを通してユーザが使用することができない実際のDMR装置でコンテンツをユーザが再生するのを可能にするため、実際のDMR装置と通信する。仮想DMRは、Windows（登録商標）  8オペレーティングシステムのチャーム認証（charm  certification）を有しており、実際のDMR装置に接続して、実際のDMR装置でコンテンツを再生するために、実際のDMR装置に便利且つ迅速にユーザが接続するのを可能にする。このように、旧式又は比較的安価な実際のDMR装置を含む多種多様な装置は、仮想DMRを介してコンテンツを再生するために使用される。
【００１０】
本発明のこれらの目的及び他の目的は、様々な図面に例示される好適な実施の形態の以下の詳細な説明を読んだ後に、当業者にとって明らかとなるであろう。
【図面の簡単な説明】
【００１１】
【図１】本発明に係る実際のDMR装置と通信する仮想DMRを含むコンピュータシステムのブロック図である。
【図２】ノンタッチ式コンピュータ上のチャームサイドバーにアクセスするユーザを示す画面である。
【図３】タブレット型コンピュータのようなタッチ式コンピュータ上のチャームサイドバーにアクセスするユーザを示す画面である。
【図４】図２又は図３に示されるチャームサイドバーにおけるデバイスオプションをユーザが押下した後のチャームサイドバーを示す画面である。
【図５】図４に示される仮想DMRに対応するアイコンをユーザがクリックした後のチャームサイドバーを示す画面である。
【図６】本発明に係る仮想DMRを介して実際のDMR装置でコンテンツを再生する方法を示すフローチャートである。
【発明を実施するための形態】
【００１２】
図１を参照して、図１は、本発明に係る実際のDMR装置３０と通信する仮想DMR２５を含むコンピュータシステム１０のブロック図である。コンピュータシステム１０は、コンピュータシステム１０の動作を制御するプロセッサ１２、実際のDMR装置２０と通信するトランシーバ１４、ユーザからのコマンドを受信するユーザインタフェース１６、ユーザにデータを表示するディスプレイ１８、及びメモリ２０を含む。メモリ２０は、仮想DMR２５と同様に、Microsoft  Corporationにより製造されるWindows（登録商標）  8オペレーティングシステムのようなオペレーティングシステム２２を記憶するために使用される。オペレーティングシステム２２及び仮想DMR２５の両者は、プロセッサ１２により実行されるソフトウェア命令である。
【００１３】
実際のDMR装置３０は、トランシーバ３２、ディスプレイ３４及びスピーカ３６を含む。以下の説明では、実際のDMR装置３０は、テレビジョンであるとして記載されるが、実際には、実際のDMR装置３０は、コンピュータシステム１０から送信されるメディアを出力することができる任意のネットワーク化されたDMRとすることができる。  トランシーバ１４及びトランシーバ３２は、有線コネクション又は無線コネクションを通してデータを送信及び受信することができる。
【００１４】
本発明は、Windows（登録商標）  8オペレーティングシステムのチャームサイドバーに追加される仮想DMR２５を使用することを狙いとし、このチャームサイドバーを通して、Windows（登録商標）  8オペレーティングシステムについて認証を受けていない実際のDMR装置を選択することができる。さらに、オリジナルのファイルフォーマットでユーザのコンテンツを通常はサポートすることができない、これらの実際のDMR装置は、トランスコーディングとしても知られている、フォーマット変換を通してユーザのコンテンツを再生するために使用することができる。
【００１５】
仮想DMR２５は、Windows（登録商標）  8オペレーティングシステム、Windows（登録商標）  7オペレーティングシステム、Windows（登録商標）  Vistaオペレーティングシステム、及びWindows（登録商標）  XPオペレーティングシステムで実行することができるサービスプログラムである。仮想DMR２５は、DLNA（Digital  Living  Network  Alliance）環境におけるDMR装置として見え、仮想DMR２５は、１以上の実際のDMR装置へのアクセスを提供することができる。仮想DMR２５は、Windows（登録商標）  8オペレーティングシステムについて認証を有しており、従ってWindows（登録商標）  8オペレーティングシステムにおけるチャームサイドバーに追加される。
【００１６】
チャームサイドバーにアクセスするため、ユーザによりコマンドが与えられる。図２を参照して、図２は、ノンタッチ式コンピュータ上のチャームサイドバー５２にアクセスするユーザを示す画面５０である。通常のノンタッチ式コンピュータに関して、チャームサイドバー５２は、画面の左下隅にマウスをドラッグすることでアクセスされ、この左下隅は、Windows（登録商標）オペレーティングシステムの前のバージョンでのWindows（登録商標）スタートボタンと同じ位置である。チャームサイドバー５２において、開始オプション（Start）、検索オプション（Search）、共有オプション（Share）、デバイスオプション（Devices）５４及び設定オプション（Settings）といった５つのオプションがユーザに提示される。開始プションは、ユーザをホーム画面に戻す。検索オプションは、ユーザがキーワードを検索するのを可能にする。共有オプションの下で、ユーザは、ソーシャルネットワークシェアリングアプリケーションを見る事ができる。デバイスオプション５４は、接続されているデバイスのリストを提示する。設定オプションは、コンピュータの設定をユーザが変えるのを可能にする。
【００１７】
図３を参照して、図３は、タブレット型コンピュータのようなタッチ式コンピュータ上でチャームサイドバー６２にアクセスするユーザを示す画面６０である。タブレット型コンピュータで、ユーザは、画面の右側から指を滑らせてチャームサイドバーを提示する。チャームサイドバー６２は、図２に示されたチャームサイドバー５２に示される同じ５つのオプションを含み、デバイスオプション６４は、接続されているデバイスのリストをユーザが見るのを可能にするために選択される。
【００１８】
図４を参照して、図４は、図２又は図３に示されたチャームサイドバー５２又は６２におけるデバイスオプション５４又は６４をユーザが押下した後のチャームサイドバー７２を示す画面７０Ａである。デバイスオプション５４又は６４が選択された後、チャームサイドバー（Devices）７２は、接続されているDMR装置にデータを出力するPlay  To機能を実行するために使用されるデバイスのリストを示す。この場合、デバイスのリストに示されているデバイスは、仮想DMR２５に対応するアイコン２５のみである。仮想DMR２５はWindows（登録商標）  8オペレーティングシステムについて認証を受けているので、仮想DMR２５に対応するアイコン７５（Virtual  DMR）は、Play  To機能を実行することができるデバイスのリストに追加することができる。仮想DMR２５は、図１に示される実際のDMR装置３０のような１以上の実際のDMR装置と関連付けることができるので、仮想DMR２５に対応するアイコン７５をクリックすることで、全ての関連する実際のDMR装置のリストが提示される。
【００１９】
図５を参照して、図５は、図４に示される仮想DMR２５に対応するアイコン７５をユーザがクリックした後のチャームサイドバー７２を示す画面７０Ｂである。この例では、チャームサイドバー７２は、仮想DMR２５に関連付けされている２つの実際のDMR装置７４及び７６を表示する。これら２つの実際のDMR装置７４及び７６は、“Dad’s  office  TV”及び“Living  room  TV”とそれぞれラベル付けされている。次いで、ユーザは、コンピュータシステム１０からのコンテンツを出力するためにこれら２つの実際のDMR装置７４及び７６のうちの１つを選択することができる。ここで、仮想DMR２５と関連付けされている実際のDMR装置をユーザが手動で選択する代わりに、仮想DMR２５は、ユーザについて予め設定された実際のDMR装置を自動的に選択することができる。
【００２０】
仮想DMR２５は、１対１のマッピングにおいて、それぞれの実際のDMR装置にマッピングされ、仮想DMR２５は、名前、アイコン及び実際のDMR装置に対応する他の記述情報を使用する。これにより、ユーザは、どの実際のDMR装置にリストが対応しているかを明らかに理解することができる。仮想DMR２５はWindows（登録商標）  8オペレーティングシステムの認証を既に受けているので、実際のDMR装置に対応するこれらのリスティングは、仮想DMR２５がアイコン７５を通して選択されたときにチャームサイドバー７２に自動的に追加される。次いで、ユーザは、選択された実際のDMR装置でPlay  To機能を実行するために、チャームサイドバー７２を通して実際のDMR装置を選択する。
【００２１】
仮想DMR２５がユーザから、再生されるべきコンテンツを指定するコマンド、再生コマンド、一時停止コマンド、終了コマンド等のような制御コマンドを受信したとき、仮想DMR２５は、制御コマンドをDLNAプロトコルを通して関連付けされている実際のDMR装置に送出する。
【００２２】
仮想DMR２５は、仮想DMRにフィードバックを提供する実際のDMR装置により達成される、ユーザコンテンツを再生するために使用される実際のDMR装置の状態を連続してモニタする。実際のDMR装置で状態の変化が存在するとき、仮想DMR２５は、状態の変化に関してDLNAに基づくブロードキャストを送出する。DLNAネットワークを通して接続されている全ての装置は、ブロードキャストを受信する。結果として、Windows（登録商標）  8オペレーティングシステムにおけるPlay  Toプログラムは、再生装置の状態の変化に関するアップデートを受信し、これに従って反応又は応答する。
【００２３】
実際のDMR装置で再生することをユーザが望むオリジナルのコンテンツの再生を実際のDMR装置がサポートしないとき、仮想DMR２５は、オリジナルのコンテンツを実際のDMR装置が可能なフォーマットにトランスコードし、トランスコードされたコンテンツを再生のために実際のDMR装置に送信する。例えば、オリジナルのコンテンツが選択された実際のDMR装置がサポートしないH.264ビデオフォーマットである場合、仮想DMR２５は、オリジナルのコンテンツを、選択された実際のDMR装置がサポートするMPEG-2フォーマットにトランスコードする。トランスコードの後、仮想DMR２５は、MPEG-2フォーマットでトランスコードされたコンテンツを再生のために選択された実際のDMR装置に送信する。
【００２４】
仮想DMR２５は、選択された実際のDMR装置が仮想DMR２５に記憶されている選択された実際のDMR装置のプロパティに従って再生されるコンテンツの再生をサポートすることができるかを判定する。選択された実際のDMR装置がオリジナルのコンテンツの再生をサポートする場合、仮想DMR２５は、オリジナルのコンテンツを選択された実際のDMR装置にダイレクトに送信する。選択された実際のDMR装置がオリジナルのコンテンツの再生をサポートしない場合、仮想DMR２５は、選択された実際のDMR装置によりサポートされる別のフォーマットを選択し、コンテンツをサポートされるフォーマットにトランスコードし、次いでトランスコードされたコンテンツを選択された実際のDMR装置に送信する。このように、選択された実際のDMR装置は、オリジナルコンテンツのフォーマットをサポートしないときでさえ、コンテンツを適切に再生することができる。
【００２５】
図６を参照して、図６は、本発明に係る仮想DMR２５を介して実際のDMR装置でコンテンツを再生する方法を示すフローチャートである。フローチャートにおけるステップは、以下のように説明される。
【００２６】
ステップ１００で開始する。  
ステップ１０２で、実際のDMR装置を仮想DMR２５と関連付けすることで、少なくとも１つの実際のDMR装置をWindows（登録商標）  8オペレーティングシステムのチャームサイドバーに追加する。  
ステップ１０４で、オリジナルのコンテンツを再生するためにコンピュータでPlay  To機能をユーザが実行するときに、コンテンツを受信するために使用されるチャームサイドバーにおける実際のDMR装置を選択する。
【００２７】
ステップ１０６で、選択された実際のDMR装置がオリジナルコンテンツのフォーマットをサポートするかを判定する。サポートすると判定された場合、ステップ１０８に進む。サポートすると判定されない場合、ステップ１１０に進む。オリジナルのコンテンツを仮想DMR２５から選択された実際のDMR装置に転送し、選択された実際のDMR装置でオリジナルのコンテンツをダイレクトに再生する。その後、ステップ１１４に進む。
【００２８】
ステップ１１０で、仮想DMR２５は、オリジナルのコンテンツを選択された実際のDMR装置がサポートするフォーマットにトランスコードする。  
ステップ１１２で、仮想DMR２５は、選択された実際のDMR装置での再生のため、選択された実際のDMR装置にトランスコードされたオリジナルのコンテンツを転送する。
【００２９】
ステップ１１４で終了する。
【００３０】
要するに、本発明は、仮想DMRを使用して、Windows（登録商標）  8オペレーティングシステムで実行しているコンピュータを通して、さもなければユーザがコンテンツを送出することができない実際のDMR装置で、ユーザがコンテンツを再生するのを可能にするため、実際のDMR装置と通信するものである。仮想DMRは、Windows（登録商標）  8オペレーティングシステムについてチャーム認証を有しており、実際のDMR装置でコンテンツを再生するために実際のDMR装置にユーザが都合よく且つ迅速に接続するのを可能にするため、実際のDMR装置に接続する。このように、コンピュータでインストールされる仮想DMRを通してコンテンツを再生するために多数の実際のDMR装置を使用することができる。
【００３１】
当業者であれば、装置及び方法の様々な変更及び改造が本発明の教示を保持しつつ行われる場合があることを容易に認識されるであろう。従って、上述された開示は、特許請求の範囲の境界によってのみ制限される。
【符号の説明】
【００３２】
１０：コンピュータシステム
１２：プロセッサ
１４：トランシーバ
１６：ユーザインタフェース
１８：ディスプレイ
２０：メモリ
２２：オペレーティングシステム
２５：仮想DMR
３０：実際のDMR
３４：ディスプレイ
３６：スピーカ
５２：チャームサイドバー
５４：デバイスオプション
【図１】
2013106345.tif 000003
【図２】
2013106345.tif 000004
【図３】
2013106345.tif 000005
【図４】
2013106345.tif 000006
【図５】
2013106345.tif 000007
【図６】
2013106345.tif 000008